(57)【要約】【課題】画像形成に係る制御部が異常リセットされることによる画質の低下を抑制する画像形成装置を提供すること。【解決手段】画像形成装置は、印加電圧Ｖｃｈｇを電気的負荷３３に印加する電圧印加部６４と、電圧印加部６４を制御する副制御部６２と、リセット信号Ｒｓｔの受信に応じて副制御部６２をリセットするリセット部６２と、リセットが異常リセットであるか否かを判断する判断部６２と、主制御部６１とを含む。主制御部６１は、電圧印加部６４による印加電圧Ｖｃｈｇの生成を開始させるための制御開始信号Ｃｓｔを生成するとともに、リセット信号Ｒｓｔを生成する。主制御部６１は、判断部６２によってリセットが異常リセットであると判断された場合、制御開始信号Ｃｓｔを副制御部６２に再送信する。【選択図】図２
2010262037.tif 000002
【特許請求の範囲】
【請求項１】
画像形成用の電気的負荷と、
印加電圧を生成し、前記印加電圧を前記電気的負荷に印加する電圧印加部と、
前記印加電圧が印加された前記電気的負荷を用いて被記録媒体に画像を形成する画像形成部と、
前記電圧印加部を制御する副制御部と、
リセット信号の受信に応じて前記副制御部をリセットし、前記副制御部を起動させるリセット部と、
前記電圧印加部による前記印加電圧の生成を開始させるための制御開始信号を生成し、前記制御開始信号を前記副制御部に送信するとともに、前記リセット信号を生成し、前記リセット信号を前記リセット部に送信する主制御部と、
前記リセットが異常リセットであるか否かを判断する判断部と、を備え、
前記主制御部は、前記判断部によって前記リセットが前記異常リセットであると判断された場合、前記制御開始信号を前記副制御部に再送信する、画像形成装置。
【請求項２】
請求項１に記載の画像形成装置において、
前記印加電圧に応じたフィードバック電圧を検出するフィードバック検出部をさらに備え、
前記判断部は、前記リセットによって前記副制御部が起動された直後において前記フィードバック検出部によって検出されるリセット時フィードバック電圧がゼロ以外である場合、前記リセットが前記異常リセットであると判断する、画像形成装置。
【請求項３】
請求項２に記載の画像形成装置において、
前記副制御部は、前記判断部によって前記リセットが前記異常リセットであると判断された場合、前記電圧印加部の暫定目標電圧を前記リセット時フィードバック電圧に基づいて設定する、画像形成装置。
【請求項４】
請求項１から３のいずれか一項に記載の画像形成装置において、
前記副制御部は、
前記電圧印加部を制御するための制御信号を生成し、
前記判断部によって前記リセットが前記異常リセットであると判断された場合、前記制御信号の値を所定値に設定する、画像形成装置。
【請求項５】
請求項１から３のいずれか一項に記載の画像形成装置において、
前記副制御部は、前記電圧印加部を制御するための制御信号を生成し、
該画像形成装置は、
前記制御信号の値を検出する制御信号検出部をさらに備え、
前記判断部は、前記リセットによって前記副制御部が起動された以後において前記制御信号検出部によって検出されるリセット時制御信号値がゼロ以外である場合、前記リセットが前記異常リセットであると判断する、画像形成装置。
【請求項６】
請求項５に記載の画像形成装置において、
前記副制御部は、前記リセットが前記異常リセットであると判断された場合、前記制御信号値を、前記リセット時制御信号値に基づいて設定する、画像形成装置。
【請求項７】
請求項１から６のいずれか一項に記載の画像形成装置において、
前記副制御部の周辺回路をさらに備え、
前記副制御部は、前記リセットが前記異常リセットであると判断された場合、前記周辺回路をリセットしない、画像形成装置。
【請求項８】
請求項１から７のいずれか一項に記載の画像形成装置において、
前記電気的負荷は画像形成に係る帯電部であり、
前記副制御部は、前記リセットが前記異常リセットであると判断された場合、前記印加電圧の目標電圧を下げる、画像形成装置。
【請求項９】
請求項８に記載の画像形成装置において、
前記帯電部に前記印加電圧が印加されることによって発生する異常放電を検出する異常放電検出部をさらに備え、
前記副制御部は、前記リセットが前記異常リセットであると判断された場合、前記異常放電検出部による検出間隔を狭くする、画像形成装置。
【請求項１０】
請求項１から９のいずれか一項に記載の画像形成装置において、
前記リセットが前記異常リセットであると判断された場合、前記異常リセットの原因解消方法を報知する報知部をさらに備える、画像形成装置。
【請求項１１】
請求項１から１０のいずれか一項に記載の画像形成装置において、
前記副制御部と副制御部の周辺回路に共通した電源を備え、
前記主制御部は、前記副制御部を正常リセットする場合、前記リセット信号の生成に代えて、前記電源を遮断する、画像形成装置。
【請求項１２】
印加電圧を生成し、前記印加電圧を電気的負荷に印加する電圧印加部と、
前記電圧印加部を制御する副制御部と、
リセット信号の受信に応じて前記副制御部をリセットし、前記副制御部を起動させるリセット部と、
前記電圧印加部による前記印加電圧の生成を開始させるための制御開始信号を生成し、前記制御開始信号を前記副制御部に送信するとともに、前記リセット信号を生成し、前記リセット信号を前記リセット部に送信する主制御部と、
前記リセットが異常リセットであるか否かを判断する判断部と、を備え、
前記主制御部は、前記判断部によって前記リセットが前記異常リセットであると判断された場合、前記制御開始信号を前記副制御部に再送信する、電圧印加装置。
【請求項１３】
請求項１２に記載の電圧印加装置において、
前記印加電圧に応じたフィードバック電圧を検出するフィードバック検出部をさらに備え、
前記判断部は、前記リセット部によって前記副制御部が起動された直後において前記フィードバック検出部によって検出されるリセット時フィードバック電圧がゼロ以外である場合、前記リセットが前記異常リセットであると判断する、電圧印加装置。
【請求項１４】
請求項１３に記載の電圧印加装置において、
前記副制御部は、前記判断部によって前記リセットが前記異常リセットであると判断された場合、前記電圧印加部の暫定目標電圧を前記リセット時フィードバック電圧に基づいて設定する、電圧印加装置。
【請求項１５】
請求項１２から１４のいずれか一項に記載の電圧印加装置において、
前記副制御部は、
前記電圧印加部を制御するための制御信号を生成し、
前記判断部によって前記リセットが前記異常リセットであると判断された場合、前記制御信号の値を所定値に設定する、電圧印加装置。
【請求項１６】
請求項１２から１４のいずれか一項に記載の電圧印加装置において、
前記副制御部は、前記電圧印加部を制御するための制御信号を生成し、
該電圧印加装置は、
前記制御信号の値を検出する制御信号検出部をさらに備え、
前記判断部は、前記リセットによって前記副制御部が起動された以後において前記制御信号検出部によって検出されるリセット時制御信号値がゼロ以外である場合、前記リセットが前記異常リセットであると判断する、電圧印加装置。
【請求項１７】
請求項１６に記載の電圧印加装置において、
前記副制御部は、前記リセットが前記異常リセットであると判断された場合、前記制御信号値を、前記リセット時制御信号値に基づいて設定する、電圧印加装置。
【発明の詳細な説明】
【技術分野】
【０００１】
本発明は画像形成装置および電圧印加装置に関し、詳しくは、主制御部および副制御部等の二つの制御部を用いて画像形成に係る制御を行う際の、二つの制御部間における制御に関する。
【背景技術】
【０００２】
画像形成に係る制御を行う二つの制御部間の制御に関する技術が、例えば、文献１に開示されている。文献１においては、二つの制御部（制御手段）に係るリセット制御手段をそれぞれ設け、第１制御部（主制御部）が暴走した場合、第２制御部（副制御部）に係る第２リセット制御手段によって第２制御部がリセットされる。すなわち、主制御部が暴走した場合に副制御部をリセットさせて、主制御部の暴走の影響が副制御部へ及ばないようにされている。
【先行技術文献】
【特許文献】
【０００３】
【特許文献１】特開２００５−２４９８０８号公報
【発明の概要】
【発明が解決しようとする課題】
【０００４】
しかしながら、リセット信号を、所定のリセット信号線を用いてリセット制御手段から被リセット制御部に供給する場合、リセット信号線に、例えば、高圧発生源からのノイズが乗ること、が考えられる。リセット信号線にノイズが重畳されると、他方の制御部が正常であるか異常であるかにかかわらず、被リセット制御部が、ノイズによって異常リセットされる虞があった。特に、画像形成時において画像形成に係る制御部が異常リセットされると、それは、画質の低下の要因となる。
【０００５】
本発明は、画像形成に係る制御部が異常リセットされることによる画質の低下を抑制する技術を提供するものである。
【課題を解決するための手段】
【０００６】
第１の発明に係る画像形成装置は、画像形成用の電気的負荷と、印加電圧を生成し、前記印加電圧を前記電気的負荷に印加する電圧印加部と、前記印加電圧が印加された前記電気的負荷を用いて被記録媒体に画像を形成する画像形成部と、前記電圧印加部を制御する副制御部と、リセット信号の受信に応じて前記副制御部をリセットし、前記副制御部を起動させるリセット部と、前記電圧印加部による前記印加電圧の生成を開始させるための制御開始信号を生成し、前記制御開始信号を前記副制御部に送信するとともに、前記リセット信号を生成し、前記リセット信号を前記リセット部に送信する主制御部と、前記リセットが異常リセットであるか否かを判断する判断部と、を備え、前記主制御部は、前記判断部によって前記リセットが前記異常リセットであると判断された場合、前記制御開始信号を前記副制御部に再送信する。
【０００７】
本構成によれば、副制御部の正常動作時に、ノイズ等によって副制御部が異常リセットされた場合、制御開始信号が副制御部に再送信される。副制御部は、再送信された制御開始信号にしたがって画像形成処理を継続することができる。そのため、画像形成に係る制御部である副制御部の異常リセットによる画質の低下を、好適に抑制することができる。
【０００８】
第２の発明は、第１の発明の画像形成装置において、前記印加電圧に応じたフィードバック電圧を検出するフィードバック検出部をさらに備え、前記判断部は、前記リセットによって前記副制御部が起動された直後において前記フィードバック検出部によって検出されるリセット時フィードバック電圧がゼロ以外である場合、前記リセットが前記異常リセットであると判断する。
【０００９】
通常、副制御部が正規にリセットされる場合（正常リセットの場合）には、副制御部による電圧印加部の制御が停止されてから、すなわち、電圧印加部による印加電圧の生成が停止されてから、副制御部がリセットされる。しかしながら、副制御部の異常リセット時には、電圧印加部による印加電圧の生成が停止されておらず、それに起因する電圧がフィードバック検出部によって検出される。そのため、本構成によれば、フィードバック検出部によるリセット時の検知電圧（リセット時フィードバック電圧）によって、リセットが異常リセットであるか否かの判断を好適に行える。
【００１０】
第３の発明は、第２の発明の画像形成装置において、前記副制御部は、前記判断部によって前記リセットが前記異常リセットであると判断された場合、前記電圧印加部の暫定目標電圧を前記リセット時フィードバック電圧に基づいて設定する。
【００１１】
本構成によれば、副制御部が異常リセットされた場合、異常リセット時の電圧印加部の一時的な目標電圧である暫定目標電圧が、異常リセット時のフィードバック電圧に基づいて設定される。そのため、異常リセットによって、電圧印加部の制御が正常になされず印加電圧が異常値になることを、防止することができる。
【００１２】
第４の発明は、第１から第３のいずれか一つの発明の画像形成装置において、前記副制御部は、前記電圧印加部を制御するための制御信号を生成し、前記判断部によって前記リセットが前記異常リセットであると判断された場合、前記制御信号の値を所定値に設定する。
【００１３】
本構成によれば、異常リセット時に制御信号の値が所定値に設定される。そのため、例えば、所定値を電圧印加部の暫定目標電圧あるいは目標電圧に対応した値とすることによって、制御信号が電圧印加部の出力電圧に応じて可変される場合と比べて、副制御部の異常リセット時における印加電圧を速やかに立ち上げることができる。
【００１４】
第５の発明は、第１から第３のいずれか一つの発明の画像形成装置において、前記副制御部は、前記電圧印加部を制御するための制御信号を生成し、該画像形成装置は、前記制御信号の値を検出する制御信号検出部をさらに備え、前記判断部は、前記リセットによって前記副制御部が起動された以後において前記制御信号検出部によって検出されるリセット時制御信号値がゼロ以外である場合、前記リセットが前記異常リセットであると判断する。
【００１５】
通常、副制御部が正規にリセットされる場合には、副制御部による電圧印加部の制御が停止されてから、すなわち、電圧印加部による印加電圧の生成を制御する制御信号の生成が停止され、制御信号がゼロとされてから、副制御部がリセットされる。しかしながら、副制御部の異常リセット時には、制御信号の生成が停止されておらず、それに起因する制御信号値が制御信号検出部によって検出される。そのため、本構成によれば、異常リセット時に検出される制御信号値によって、異常リセットであるか否かの判断を好適に行える。
【００１６】
第６の発明は、第５の発明の画像形成装置において、前記副制御部は、前記リセットが前記異常リセットであると判断された場合、前記制御信号値を、前記リセット時制御信号値に基づいて設定する。
【００１７】
本構成によれば、副制御部が異常リセットされた場合、制御信号値が、異常リセット時の制御信号値に基づいて設定される。そのため、第４の発明の場合（制御信号値を所定値に設定する場合）よりも、確実かつ速やかに印加電圧を暫定目標電圧に近づけることができる。
【００１８】
第７の発明は、第１から第６のいずれか一つの発明の画像形成装置において、前記副制御部の周辺回路をさらに備え、前記副制御部は、前記リセットが前記異常リセットであると判断された場合、前記周辺回路をリセットしない。
本構成によれば、副制御部が異常リセットされた後の再起動時間を短縮できる。
【００１９】
第８の発明は、第１から第７のいずれか一つの発明の画像形成装置において、前記電気的負荷は画像形成に係る帯電部であり、前記副制御部は、前記リセットが前記異常リセットであると判断された場合、前記印加電圧の目標電圧を下げる。
【００２０】
画像形成装置の帯電部には、通常、数ｋＶの高圧が印加され、その高圧に起因するノイズが発生しやすい。例えば、帯電部で異常放電が発生すると、異常放電のノイズによって異常リセットが発生する確率が高いと考えられる。そのため、本構成によれば、印加電圧（帯電電圧）を低下させることによって、異常リセットと関連のある異常放電の発生を抑制することができる。
【００２１】
第９の発明は、第８の発明の画像形成装置において、前記帯電部に前記印加電圧が印加されることによって発生する異常放電を検出する異常放電検出部をさらに備え、前記副制御部は、前記リセットが前記異常リセットであると判断された場合、前記異常放電検出部による検出間隔を狭くする。
【００２２】
本構成によれば、異常放電の検出間隔を狭くすることによって、異常放電の検出を早めることができる。そのため、異常放電と異常リセットとの関連を早期に確認できるとともに、早期に異常放電の発生に対処することができる。
【００２３】
第１０の発明は、第１から第９のいずれか一つの発明の画像形成装置において、前記リセットが前記異常リセットであると判断された場合、前記異常リセットの原因解消方法を報知する報知部をさらに備える。
本構成によれば、異常リセットの原因を排除するようにユーザに促すことができる。
【００２４】
第１１の発明は、第１から第１０のいずれか一つの発明の画像形成装置において、前記副制御部と副制御部の周辺回路とに共通した電源を備え、前記主制御部は、前記副制御部を正常リセットする場合、前記リセット信号の生成に代えて、前記電源を遮断する。
本構成によれば、正常リセット時、副制御部と周辺回路とを確実にリセットできるとともに、正常リセットと異常リセットとの区別が容易となる。
【００２５】
第１２の発明に係る電圧印加装置は、印加電圧を生成し、前記印加電圧を電気的負荷に印加する電圧印加部と、前記電圧印加部を制御する副制御部と、リセット信号の受信に応じて前記副制御部をリセットし、前記副制御部を起動させるリセット部と、前記電圧印加部による前記印加電圧の生成を開始させるための制御開始信号を生成し、前記制御開始信号を前記副制御部に送信するとともに、前記リセット信号を生成し、前記リセット信号を前記リセット部に送信する主制御部と、前記リセットが異常リセットであるか否かを判断する判断部とを備え、前記主制御部は、前記判断部によって前記リセットが前記異常リセットであると判断された場合、前記制御開始信号を前記副制御部に再送信する。
【００２６】
本構成によれば、副制御部の正常動作時に、ノイズ等によって副制御部が異常リセットされた場合、制御開始信号が副制御部に再送信される。そのため、電圧印加装置が、画像形成処理にかかる高圧印加装置として使用される場合、画像形成に係る制御部である副制御部は、再送信された制御開始信号にしたがって画像形成処理を継続することができる。そのため、副制御部の異常リセットによる画質の低下を、好適に抑制することができる。
【００２７】
第１３の発明は、第１２の発明の電圧印加装置において、前記印加電圧に応じたフィードバック電圧を検出するフィードバック検出部をさらに備え、前記判断部は、前記リセット部によって前記副制御部が起動された直後において前記フィードバック検出部によって検出されるリセット時フィードバック電圧がゼロ以外である場合、前記リセットが前記異常リセットであると判断する。
本構成によれば、リセット時フィードバック電圧によって、リセットが異常リセットであるか否かの判断を好適に行える。
【００２８】
第１４の発明は、第１３の発明の電圧印加装置において、前記副制御部は、前記判断部によって前記リセットが前記異常リセットであると判断された場合、前記電圧印加部の暫定目標電圧を前記リセット時フィードバック電圧に基づいて設定する。
本構成によれば、異常リセットによって、電圧印加部の制御が正常になされず印加電圧が異常値になることを、防止することができる。
【００２９】
第１５の発明は、第１２から第１４のいずれか一つの発明の電圧印加装置において、前記副制御部は、前記電圧印加部を制御するための制御信号を生成し、前記判断部によって前記リセットが前記異常リセットであると判断された場合、前記制御信号の値を所定値に設定する。
本構成によれば、制御信号が電圧印加部の出力電圧に応じて可変される場合と比べて、副制御部の異常リセット時における印加電圧を速やかに立ち上げることができる。
【００３０】
第１６の発明は、第１２から第１４のいずれか一つの発明の電圧印加装置において、前記副制御部は、前記電圧印加部を制御するための制御信号を生成し、該電圧印加装置は、前記制御信号の値を検出する制御信号検出部をさらに備え、前記判断部は、前記リセットによって前記副制御部が起動された以後において前記制御信号検出部によって検出されるリセット時制御信号値がゼロ以外である場合、前記リセットが前記異常リセットであると判断する。
本構成によれば、異常リセット時に検出される制御信号値によって、異常リセットであるか否かの判断を好適に行える。
【００３１】
第１７の発明は、第１６の発明の電圧印加装置において、前記副制御部は、前記リセットが前記異常リセットであると判断された場合、前記制御信号値を、前記リセット時制御信号値に基づいて設定する。
本構成によれば、制御信号値を所定値に設定する場合よりも、確実に速やかに出力電圧を暫定目標電圧に近づけることができる。
【発明の効果】
【００３２】
本発明によれば、画像形成に係る制御部が異常リセットされることによる画質の低下を抑制することができる。
【図面の簡単な説明】
【００３３】
【図１】本発明の実施形態１に係るレーザプリンタの内部構成を概略的に示す側断面図
【図２】実施形態１における高圧印加装置の概略的なブロック図
【図３】高圧ＣＰＵのリセット時の処理を示すフローチャート
【図４】高圧印加装置の異常リセット時における電圧出力の推移を概略的に示すタイムチャート
【図５】実施形態２における高圧印加装置の概略的なブロック図
【図６】実施形態２における高圧ＣＰＵのリセット時の処理を示すフローチャート
【発明を実施するための形態】
【００３４】
＜実施形態１＞
本発明の実施形態１を、図１〜図４を参照して説明する。
【００３５】
１．画像形成装置の構成
図１は、本発明の画像形成装置の実施形態１に係る構成を概略的に示す要部側断面図である。ここでは、画像形成装置がレーザプリンタ１０に適用された例が示される。
【００３６】
レーザプリンタ１０は、ブラック（Ｋ）、シアン（Ｃ）、マゼンタ（Ｍ）、イエロー（Ｙ）の各色に対応する４つの現像ローラ３１Ｋ、３１Ｃ、３１Ｍ、３１Ｙおよび感光体ドラム３２Ｋ、３２Ｃ、３２Ｍ、３２Ｙ等を備えた、いわゆるダイレクトタンデム型のカラーレーザプリンタである。なお、以下の説明においては、前側とは図１の右側を示すものとする。また、画像形成装置はカラーレーザプリンタに限られず、例えば、モノクロレーザプリンタ、あるいはＬＥＤプリンタであってもよいし、ファクシミリ機能およびコピー機能を備えた、いわゆる複合機であってもよい。
【００３７】
レーザプリンタ（以下、単に「プリンタ」と記す）１０はボックス状を成す本体ケーシング１１を備えている。本体ケーシング１１の内部には、給紙部２１、用紙（被記録媒体の一例）３を搬送する用紙搬送部２３、電子写真方式によって画像を形成する画像形成部２５、およびスキャナ部２７が、下から順に積み重ねて配置されている。
【００３８】
また、本体ケーシング１１の内部には、メイン基板２０および高圧基板３０が設けられている。メイン基板２０は、プリンタ１０の各部を制御するメインＣＰＵ６１を含む。高圧基板３０は、メインＣＰＵ６１によって制御される高圧ＣＰＵ６２を含む。
【００３９】
ここで、画像形成部２５には現像ローラ３１（３１Ｋ〜３１Ｙ）、感光体ドラム３２（３２Ｋ〜３２Ｙ）、帯電器３３（３３Ｋ〜３３Ｙ）、転写ローラ３４（３４Ｋ〜３４Ｙ）、および定着器３５等が含まれる。定着器３５は、用紙３上に転写されたトナー像を紙面に熱定着させる。ここで、各帯電器３３は、いわゆるスコロトロン型の帯電器であり、帯電ワイヤ３３ａおよびグリッド電極３３ｂを有する（図２参照）。
【００４０】
また、本体ケーシング１１の前面には、画像形成部２５にアクセスするためのアクセス口とされ、そこには、フロントカバー１５が回動操作可能に設置されている。
【００４１】
スキャナ部２７にはポリゴンミラー（図示せず）、および各色に対応した４つのレーザダイオード（図示せず）が内蔵されている。各レーザダイオードから出射された各レーザ光Ｌ１〜Ｌ４は、ポリゴンミラーで偏向されて、その後、光路上に設置される反射鏡などの光学部品によって向きを変えられ、図１に示すように各感光体ドラム３２（３２Ｋ〜３２Ｙ）の表面に高速走査にて照射される。これにより、各感光体ドラム３２（３２Ｋ〜３２Ｙ）上に静電潜像が形成される。その後、現像工程、転写工程、定着工程を経ることで用紙搬送経路（図示せず）を送られてくる用紙３に画像を形成させ、画像形成後の用紙３を本体ケーシング１１の上面壁１１Ａに設けられる排紙トレイ上に排紙するように構成されている。
【００４２】
２．高圧印加装置の構成
次に、図２の回路ブロック図を参照して、本発明に係る高圧印加装置６０の回路構成について説明する。ここでは、高圧印加装置６０は、プリンタ１０に設けられる例が示される。
【００４３】
高圧印加装置６０は大きくは、メインＣＰＵ（「主制御部」の一例）６１、高圧ＣＰＵ（「副制御部」の一例）６２、Ｄ／Ａコンバータ６３、高圧出力回路（「電圧印加部」の一例）６４、ＦＢ（フィードバック）検出回路（「フィードバック検出部」の一例）６５、および異常放電検出回路６６を含む。図２に示されるように、例えば、メインＣＰＵ６１のみメイン基板２０に設けられ、他は高圧基板３０に設けられる。
【００４４】
高圧出力回路６４は、ここでは、例えば、帯電器（「電気的負荷」の一例）３３の帯電ワイヤ３３ａに印加する帯電電圧（「印加電圧」の一例）Ｖｃｈｇを生成する例が示される。なお、これに限られず、高圧印加装置６０は、例えば、高圧出力回路６４が転写ローラ３４に印加する転写電圧を生成する場合にも、適用される。高圧出力回路６４は、例えば、ドライブ回路６４ａおよび昇圧・整流回路６４ｂを含む。昇圧・整流回路６４ｂは、例えば、昇圧用トランスを含み、ドライブ回路６４ａは、昇圧用トランスの一次側を駆動する。
【００４５】
メインＣＰＵ６１は、高圧出力回路６４による帯電電圧Ｖｃｈｇの生成を開始させるための制御開始信号Ｃｓｔを生成し、制御開始信号Ｃｓｔを高圧ＣＰＵ６２に送信する。また、メインＣＰＵ６１は、リセット信号Ｒｓｔを生成し、リセット信号Ｒｓｔを、リセット線Ｌｒを介して高圧ＣＰＵ（「リセット部」の一例）６２に送信する。高圧ＣＰＵ６２はリセット信号Ｒｓｔの受信に応じてリセットされるとともに起動される。すなわち、高圧ＣＰＵ６２は、リセット信号Ｒｓｔの受信に応じて起動される。メインＣＰＵ６１は、例えば、プリンタ１０の電源投入時、あるいはフロントカバー１５の閉鎖時に、リセット信号Ｒｓｔを生成し、リセット信号Ｒｓｔによって高圧ＣＰＵ６２を正規にリセットする。
【００４６】
高圧ＣＰＵ６２は、制御開始信号Ｃｓｔに応じて、高圧出力回路６４を制御するデジタル制御信号（「制御信号」の一例）Ｄｃｎｔを生成する。高圧ＣＰＵ６２は、デジタル制御信号ＤｃｎｔをＤ／Ａポート６２ａを介してＤ／Ａコンバータ６３に供給する。Ｄ／Ａコンバータ６３はデジタル制御信号Ｄｃｎｔをアナログ制御信号Ａｃｎｔに変換して、アナログ制御信号Ａｃｎｔを高圧出力回路６４のドライブ回路６４ａに供給する。ドライブ回路６４ａはアナログ制御信号Ａｃｎｔに応じて、例えば、昇圧・整流回路６４ｂの昇圧用トランスの一次側を駆動する
【００４７】
また、高圧ＣＰＵ（「判断部」の一例）６２は、リセットがリセット信号Ｒｓｔによる正規のリセット（正常リセット）であるか、リセット線Ｌｒにノイズが重畳すること等による異常リセットであるかを判断する。高圧ＣＰＵ６２は、リセットが異常リセットであると判断した場合、異常リセット検知信号Ｓａｒを生成し、異常リセット検知信号ＳａｒをメインＣＰＵ６１および本体ケーシング１１に設けられる液晶モニタ（「報知部」の一例）２４に送る。
【００４８】
メインＣＰＵ６１は、異常リセット検知信号Ｓａｒの受信に応じて制御開始信号Ｃｓｔを高圧ＣＰＵ６２に再送信する。このように、実施形態１では、制御開始信号Ｃｓｔが高圧ＣＰＵ６２に再送信されることによって、高圧ＣＰＵ６２は、画像形成中に異常リセットされた場合においても、異常リセットによる画質の低下を抑制しつつ画像形成を継続することができる。
【００４９】
また、液晶モニタ２４は、異常リセット検知信号Ｓａｒの受信に応じて、異常リセットの原因を排除するようにユーザに促すために、異常リセットの原因解消方法を報知するメッセージを表示する。液晶モニタ２４は、例えば、「プリンタから、外来ノイズ源を離してください」あるいは「プリンタのアース線を接続してください」等のメッセージを表示する。なお、異常リセット検知信号Ｓａｒによって、液晶モニタ２４に異常リセットの原因解消方法を報知させる構成は任意であり、省略されてもよい。
【００５０】
ＦＢ検出回路６５は、帯電電圧Ｖｃｈｇに応じたＦＢ（フィードバック）電圧Ｖｆｂを検出し、ＦＢ電圧Ｖｆｂを高圧ＣＰＵ６２のＡ／Ｄポート６２ｂに供給する。高圧ＣＰＵ６２は、何らかのリセットによって起動された直後において、ＦＢ検出回路６５によって検出されるリセット時ＦＢ電圧（「リセット時フィードバック電圧」に相当）Ｖｒｆｂがゼロ以外である場合、リセットが正規のリセット（正常リセット）ではない異常リセットであると判断する。これ以下の理由による。
【００５１】
通常、高圧ＣＰＵ６２が正規にリセットされる場合には、高圧ＣＰＵ６２による高圧出力回路６４の制御が停止された状態、すなわち、高圧出力回路６４による帯電電圧Ｖｃｈｇの生成が停止された状態において、高圧ＣＰＵ６２がリセットされる。しかしながら、高圧ＣＰＵ６２の異常リセット時には、高圧出力回路６４による帯電電圧Ｖｃｈｇの生成が停止されておらず、それに起因する電圧がＦＢ検出回路６５によって検出されることとなる。例えば、昇圧・整流回路６４ｂの昇圧用トランスの逆起電力や整流コンデンサの充電等に起因する電圧が考えられる。そのため、ＦＢ検出回路６５によって何らかのＦＢ電圧Ｖｆｂが検出されること（ＦＢ電圧Ｖｆｂがゼロ以外であること）によって、正規のリセットではない異常リセットであると判断できる。
【００５２】
また、高圧ＣＰＵ６２は、リセットが異常リセットであると判断された場合、帯電電圧Ｖｃｈｇが異常値になるのを防止するために、帯電電圧Ｖｃｈｇの一時的な暫定目標電圧Ｖｐｔｇを、リセット時ＦＢ電圧Ｖｒｆｂに基づいて設定する。
【００５３】
異常放電検出回路６６は、帯電器３３のグリッド３３ｂに接続され、帯電器３３に帯電電圧Ｖｃｈｇが印加されることによって発生する異常放電を検出する。異常放電検出回路６６は、異常放電を検出した場合、異常放電検出信号Ｓｄを生成し、異常放電検出信号Ｓｄを高圧ＣＰＵ６２の入力ポート６２ｃに供給する。ここで、異常放電検出回路６６が設けられるのは、以下の理由による。
帯電器３３が、例えば長期間使用されると、帯電ワイヤ３３ａにシリカや埃等が付着（いわゆるワイヤ太り）して当該帯電ワイヤ３３ａのインピーダンスが上昇する。その場合、後述するように、グリッド３３ｂに流れるグリッド電流について定電流制御がされると、帯電電圧Ｖｃｈｇは上昇する。その際、帯電電圧Ｖｃｈｇが所定値以上になると、帯電ワイヤ３３ａとグリッド３３ｂとの間で異常放電が生じて多量の電流が流れる。その結果、感光体３２を均一に帯電できなくなり、画像品質が低下してしまうおそれがある。そのため、異常放電検出回路６６によって、異常放電を早期に発見する必要がある。
【００５４】
また、電源６７は、高圧ＣＰＵ６２および周辺回路であるＤ／Ａコンバータ６３に電力を供給する。なお、電源６７の動作は、メインＣＰＵ６１によって制御される。メインＣＰＵ６１は、高圧ＣＰＵ６２を正常リセットする場合、リセット信号Ｒｓｔの生成に代えて、電源６７を高圧ＣＰＵ６２および周辺回路に対して遮断することによって、高圧ＣＰＵ６２を正常リセットすることができる。
【００５５】
なお、高圧ＣＰＵ６２は、通常の画像形成時において、例えば、ＦＢ電圧Ｖｆｂに基づいて、帯電電圧Ｖｃｈｇの印加によるグリッド電流が一定となるように、高圧出力回路６４を定電流制御する。この場合、ＦＢ検出回路６５は、具体的には、例えば、分圧抵抗を含み、分圧抵抗によって、帯電電圧Ｖｃｈｇに応じてグリッド３３ｂに印加されるグリッド電圧の分圧値を検出する。すなわち、ＦＢ電圧Ｖｆｂは、グリッド電圧の分圧値となる。なお、ＦＢ電圧Ｖｆｂは、これに限られない。例えば、ＦＢ検出回路６５は、昇圧・整流回路６４ｂの昇圧用トランスの一次側に設けられた補助巻線を含み、ＦＢ電圧Ｖｆｂは、帯電電圧Ｖｃｈｇに応じてその補助巻線によって検出される電圧としてもよい。
また、ここでは、高圧印加装置６０がプリンタ１０に設けられる例が示されるが、これに限られない。本発明による高圧印加装置６０は、高電圧を利用する装置であって、高圧ＣＰＵ６２が異常リセットされることによって不都合が生じる、あらゆる装置に適用できる。
【００５６】
３．リセット時の制御
次に、図３および図４を参照して、実施形態１における、高圧ＣＰＵ６２の異常リセット時の制御について説明する。図３は、リセット時に係る処理を示すフローチャートである。図４はリセット時における帯電電圧Ｖｃｈｇ（高圧出力Ｖｏ）の推移を概略的に示すタイムチャートである。なお、図４では、時刻ｔ０に異常リセットが発生したと想定している。リセット時に係る処理は、何らかのリセットによって高圧ＣＰＵ６２が起動された場合に、例えば、所定のプログラムにしたがって、高圧ＣＰＵ６２によって実行される。
【００５７】
図３に示すステップＳ１１０において、高圧ＣＰＵ６２は、リセット起動された直後に、ＦＢ検出回路６５からのリセット時ＦＢ電圧Ｖｒｆｂを読み込む（図４の時刻ｔ０に対応）。そして、読み込んだリセット時ＦＢ電圧Ｖｒｆｂが、「０」であるかどうか判断する（ステップＳ１２０）。リセット時ＦＢ電圧Ｖｒｆｂが、「０」であると判断した場合は、リセットが正規のリセットであるため、高圧ＣＰＵ６２は、ステップＳ１２５に移行して、通常の起動動作を行う。通常の起動動作では、高圧ＣＰＵ６２は、自身の初期設定を行った後、メインＣＰＵ６１からの制御開始信号Ｃｓｔを受信するまで待機する。
【００５８】
一方、リセット時ＦＢ電圧Ｖｒｆｂが、「０」でないと判断した場合、高圧ＣＰＵ６２はリセットを異常リセットと判断して、ステップＳ１３０に移行する。ステップＳ１３０において、高圧ＣＰＵ６２は、メインＣＰＵ６１および液晶モニタ２４に異常リセット検知信号Ｓａｒを送信し、ステップＳ１４０において、異常リセット後の一時的な目標出力電圧である暫定高圧目標電圧（以下「暫定目標電圧」という）Ｖｐｔｇを、ステップＳ１１０で読み込んだリセット時ＦＢ電圧Ｖｒｆｂに所定値「Ａ」を乗算した値として設定する。なお、暫定目標電圧Ｖｐｔｇは、帯電電圧Ｖｃｈｇが目標電圧Ｖｔｇを超えるような異常値となることを防止するために、好ましくは、図４に示されるように、正規の高圧目標電圧Ｖｔｇよりも低い値に設定される。また、所定値「Ａ」は、高圧出力回路６４およびＦＢ検出回路６５に依存する定数である。ここで、所定値「Ａ」は、例えば、２００とされる。
【００５９】
また、ステップＳ１５０において、デジタル制御信号Ｄｃｎｔの値であるＤ／Ａ値をデフォルト値（「所定値」の一例）に設定する。デフォルト値は、異常リセット時のＤ／Ａ値の設定所定値であり、例えば、暫定目標電圧Ｖｐｔｇに対応した値とされる。高圧出力回路６４の通常動作時のＤ／Ａ値とされる。そして、ステップＳ１６０において、高圧ＣＰＵ６２は、高圧出力回路６４の制御を開始する。
【００６０】
なお、ステップＳ１３０からステップＳ１５０の処理は、図４の時刻ｔ１において、ほぼ同時に行われる。すると、図４の一点鎖線で示されるように、高圧出力回路６４の高圧出力Ｖｏ、すなわち、帯電電圧Ｖｃｈｇは、異常リセットによる低下を停止し、暫定的に、ほぼ一定値の暫定目標電圧Ｖｐｔｇに維持されるようになる。
【００６１】
次いで、ステップＳ１７０において、高圧ＣＰＵ６２は、メインＣＰＵ６１から制御開始信号Ｃｓｔを再受信する。そして、ステップＳ１８０において、制御開始信号Ｃｓｔにしたがって、高圧目標電圧（以下「目標電圧」という）Ｖｔｇを正規の値に再設定して、制御開始信号Ｃｓｔに応じた高圧出力回路６４の制御を開始する（図４の時刻ｔ３に相当する）。すると、図４のほぼ時刻ｔ４において帯電電圧Ｖｃｈｇは、目標電圧Ｖｔｇに到達する。
【００６２】
なお、図３に示す処理において、ステップＳ１４０の処理は省略されてもよい。すなわち、異常リセット時の暫定処理として、ステップＳ１５０のＤ／Ａ値の設定処理のみを行うようにしてもよい。その場合の帯電電圧Ｖｃｈｇの推移が、図４において、二点鎖線で示される。この場合、Ｄ／Ａ値のデフォルト値は、例えば、高圧出力回路６４の通常動作時のＤ／Ａ値、すなわち、目標電圧Ｖｔｇに対応した値とされる。この場合、帯電電圧Ｖｃｈｇは、暫定目標電圧Ｖｐｔｇが設定されないため、図４に示されるように、目標電圧Ｖｔｇの近傍で変動（リップル）する。しかしながら、この場合、帯電電圧Ｖｃｈｇは、高圧ＣＰＵ６２の異常リセット後において、暫定目標電圧Ｖｐｔｇを設定する場合と比べて目標電圧Ｖｔｇへ早く到達する（図４参照）。
【００６３】
また、図３に示す処理において、ステップＳ１５０の処理は省略されてもよい。すなわち、異常リセット時の暫定処理として、ステップＳ１４０の暫定目標電圧Ｖｐｔｇの設定処理のみを行うようにしてもよい。その場合の帯電電圧Ｖｃｈｇの推移が、図４において、実線で示される。この場合、Ｄ／Ａ値はデフォルト値に設定されず、Ｄ／Ａ値は、通常起動時の動作にしたがった値に設定される。例えば、Ｄ／Ａ値は、帯電電圧Ｖｃｈｇを上昇させるように順次増加される値に設定される。そのため、この場合、例えば、帯電電圧Ｖｃｈｇは、図４の時刻ｔ２まで減少する。
【００６４】
さらに、図３に示す処理において、ステップＳ１４０からステップＳ１６０までの処理が省略されてもよい。その場合の帯電電圧Ｖｃｈｇの推移が、図４において、点線で示される。この場合であっても、高圧ＣＰＵ６２において異常リセットが発生した際に、高圧ＣＰＵ６２は、図４の時刻ｔ３において、制御開始信号Ｃｓｔの再送に応じた高圧出力回路６４の制御を開始することができる。そのため、図４のほぼ時刻ｔ５において帯電電圧Ｖｃｈｇは、目標電圧Ｖｔｇに到達することができる。
【００６５】
４．実施形態１の効果
上記したように、実施形態１においては、高圧ＣＰＵ６２の正常動作時に、ノイズ等によって高圧ＣＰＵ６２が異常リセットされた場合、制御開始信号Ｃｓｔが高圧ＣＰＵ６２に再送信される。高圧ＣＰＵ６２は、再送信された制御開始信号Ｃｓｔにしたがって画像形成処理を継続することができる。そのため、画像形成に係る制御部である高圧ＣＰＵ６２の異常リセットによる画質の低下を、好適に抑制することができる。
【００６６】
また、高圧ＣＰＵ６２がリセット（起動）された場合、そのリセットが、正規のリセットであるか、ノイズ等による異常リセットであるかを、リセット直後のリセット時ＦＢ電圧（リセット時フィードバック電圧）Ｖｒｆｂによって判断される。その際、高圧ＣＰＵ６２は、ＦＢ電圧Ｖｒｆｂが「０」でないことを検出することによって、高圧ＣＰＵ６２の異常リセットを好適に自己判断することができる。
【００６７】
異常リセットであると判断した場合、高圧ＣＰＵ６２は、メインＣＰＵ６１から制御開始信号Ｃｓｔを受信する前に、帯電電圧Ｖｃｈｇの出力を維持するために、暫定的な処理を行う。暫定的な処理として、目標電圧Ｖｔｇ以下である暫定目標電圧ＶｐｔｇをＦＢ電圧Ｖｒｆｂに基づいて設定し、Ｄ／Ａ値を所定値に基づいて設定する。そのため、暫定処理中に帯電電圧Ｖｃｈｇが目標電圧Ｖｔｇを超えるような異常値となることを、防止することができる。
【００６８】
また、図４に示されるように、高圧ＣＰＵ６２の異常リセット後において、暫定的な処理を行わない場合（時刻ｔ５参照）と比べて、帯電電圧Ｖｃｈｇをより速く目標電圧Ｖｔｇに到達させることができる（時刻ｔ４参照）。
【００６９】
＜実施形態２＞
次に、図５および図６を参照して本発明の画像形成装置の実施形態２を説明する。なお、実施形態１とは高圧印加装置のみが異なるため、高圧印加装置についてのみ説明する。また、実施形態１と同一の構成には同一の符号を付し、並びに実施形態１と同一の処理には同一のステップ番号を付し、その説明を省略する。図５は、実施形態２における高圧印加装置６０Ａの概略的なブロック回路図である。図６は、実施形態２のリセット時に係る処理を示すフローチャートである。
【００７０】
図５に示されるように、実施形態２の高圧印加装置６０Ａにおいて、高圧ＣＰＵ（「制御信号検出部」の一例）６２は、Ｄ／Ａコンバータ６３の出力であるアナログ制御信号Ａｃｎｔの値（ＤＡ電圧値）を、Ａ／Ｄポート６２ｄを介して検出する。なお、アナログ制御信号Ａｃｎｔの値は、高圧出力回路６４の通常制御時においては、Ｄ／Ａコンバータ６３にラッチされ、高圧ＣＰＵ６２が正規にリセットされる場合には、ゼロにリセットされる。高圧ＣＰＵ６２は、リセット時に検出したリセット時アナログ制御信号（ＤＡ電圧；「リセット時制御信号値」の一例）Ａｒｃｎｔに基づいて、リセットが異常リセットかどうかを判断する。
【００７１】
すなわち、図６のステップＳ２１０において、高圧ＣＰＵ６２は、何らかのリセットによって起動された場合、起動された直後に、ＦＢ検出回路６５からリセット時ＦＢ電圧Ｖｒｆｂを読み込み、Ｄ／Ａコンバータ６３からリセット時ＤＡ電圧（Ａｒｃｎｔ）を読み込む（図４の時刻ｔ０に対応）。そして、ステップＳ２２０において、読み込んだリセット時ＦＢ電圧Ｖｒｆｂおよびリセット時ＤＡ電圧Ａｒｃｎｔがともに「０」であるかどうか判断する。読み込んだリセット時ＦＢ電圧Ｖｒｆｂおよびリセット時ＤＡ電圧Ａｒｃｎｔが、ともに「０」であると判断した場合は、リセットが正規のリセットであるため、高圧ＣＰＵ６２は、ステップＳ１２５に移行して、上記通常の起動動作を行う。
【００７２】
一方、読み込んだリセット時ＦＢ電圧Ｖｒｆｂおよびリセット時ＤＡ電圧Ａｒｃｎｔのいずれか１つが「０」でない場合（ステップＳ２２０において「ＮＯ」判定）、高圧ＣＰＵ６２は、リセットを異常リセットと判断し、上記ステップＳ１３０以降の処理を行う。その際、実施形態２においては、上記ステップＳ１５０の処理に代えて、ステップＳ２３０の処理を行う。
【００７３】
すなわち、ステップＳ２３０において、高圧ＣＰＵ６２は、Ｄ／Ａ設定値として、「デフォルト値（所定値）」に代えて、ステップＳ２１０において読み込んだリセット時ＤＡ電圧Ａｒｃｎｔの値を設定する。すなわち、高圧ＣＰＵ６２が異常リセットされた際に、Ｄ／Ａコンバータ６３にラッチされていたＤＡ電圧の値（アナログ制御信号の値）が、Ｄ／Ａ設定値とされる。この場合の帯電電圧Ｖｃｈｇの推移が、図４の破線で示される。
【００７４】
このように、実施形態２においては、異常リセット時の暫定的処理として、Ｄ／Ａ設定値が、リセット時ＤＡ電圧Ａｒｃｎｔの値とされる。そのことによって、図４の破線で示されるように、実施形態１（一点鎖線）と比べて、より正確かつ速やかに帯電電圧Ｖｃｈｇを暫定目標電圧Ｖｐｔｇに近づけることができる。また、高圧ＣＰＵ６２は、リセット時ＦＢ電圧Ｖｒｆｂおよびリセット時ＤＡ電圧Ａｒｃｎｔのいずれか１つが「０」でないことを検出することによって、高圧ＣＰＵ６２の異常リセットを好適に自己判断することができる。
【００７５】
なお、リセット時ＤＡ電圧Ａｒｃｎｔが「０」でない場合、異常リセットと判断されるのは以下の理由による。上記したように、通常、高圧ＣＰＵ６２が正規にリセットされる場合には、高圧ＣＰＵ６２による高圧出力回路６４の制御が停止されてから、すなわち、制御信号Ｄｃｎｔの生成が停止され、制御信号Ｄｃｎｔの値がゼロとされてから、高圧ＣＰＵ６２がリセットされる。しかしながら、高圧ＣＰＵ６２の異常リセット時には、アナログ制御信号（ＤＡ電圧）Ａｃｎｔの値がＤ／Ａコンバータ６３にラッチされている。そのため、リセット時ＤＡ電圧Ａｒｃｎｔの値によって、異常リセットであるか否かの判断を行える。
【００７６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００７７】
（１）上記各実施形態において、高圧ＣＰＵ６２は、リセットが異常リセットであると判断された場合、Ｄ／Ａコンバータ６３等の周辺回路をリセットしないようにしてもよい。この場合、高圧ＣＰＵ６２が異常リセットされた後の再起動時間を短縮できる。
【００７８】
（２）上記各実施形態において、高圧ＣＰＵ６２は、リセットが異常リセットであると判断された場合、帯電電圧Ｖｃｈｇの目標電圧Ｖｔｇを下げるようにしてもよい。これ以下の理由による。すなわち、帯電器３３には、通常、数ｋＶの高圧が印加され、その高圧に起因するノイズが発生しやすい。例えば、帯電器３３において異常放電が発生すると、異常放電のノイズによって高圧ＣＰＵ６２の異常リセットが発生する確率が高いと考えられる。そのため、帯電電圧Ｖｃｈｇの目標電圧Ｖｔｇを低下させることによって、異常リセットと関連のある異常放電の発生を抑制することができる。リセットが異常リセットと判断された場合、例えば、帯電電圧Ｖｃｈｇの目標電圧Ｖｔｇを通常の設定値の８０％に設定するようにしてもよい。
【００７９】
（３）上記各実施形態において、高圧ＣＰＵ６２は、リセットが異常リセットであると判断された場合、異常放電検出回路６６による検出間隔を狭くするようにしてもよい。これ以下の理由による。すなわち、異常放電の検出間隔を狭くすることによって、異常放電の検出を早めることができる。そのため、異常放電と異常リセットとの関連を早期に確認し、異常リセットと関連のある異常放電の発生の抑制に対応することができる。リセットが異常リセットと判断された場合、例えば、異常放電の検出間隔を通常の１０ｍｓから１ｍｓに狭くするようにしてもよい。
【００８０】
（４）上記各実施形態において、メインＣＰＵ６１は、高圧ＣＰＵ６２を正常リセットする場合、リセット信号Ｒｓｔの生成に代えて、電源６７を遮断するようにしてもよい。この場合、高圧ＣＰＵ６２（副制御部）と周辺回路とを確実に正常リセットできるとともに、正常リセットと異常リセットとの区別が容易となる。
【００８１】
（５）上記各実施形態では、高圧ＣＰＵ６２が、本発明に係るリセット部、判断部、および制御信号検出部である例を示したが、これに限られない。リセット部、判断部、および制御信号検出部の少なくとも一つは、高圧ＣＰＵ６２とは別個の構成として設けられるようにしてもよい。
【００８２】
（６）上記実施形態２では、リセット時ＦＢ電圧Ｖｒｆｂおよびリセット時ＤＡ電圧Ａｒｃｎｔに基づいて異常リセットの判断するようにしたが、これに限られない。例えば、ステップＳ２２０において、リセット時ＤＡ電圧Ａｒｃｎｔのみに基づいて異常リセットを判断するようにしてもよい。この場合であっても、リセット時ＤＡ電圧Ａｒｃｎｔが「０」以外であることによって、高圧ＣＰＵ６２の異常リセットを好適に自己判断することができる。なお、リセット時ＤＡ電圧（リセット時制御信号値）Ａｒｃｎｔは、必ずしも異常リセット直後の電圧である必要はなく、異常リセット以降の電圧であればよい。
【符号の説明】
【００８３】
３…用紙（被記録媒体）
１０…レーザプリンタ（画像形成装置）
２５…画像形成部
３３…帯電器（画像形成部：電気的負荷）
６０、６０Ａ…高圧印加装置
６１…メインＣＰＵ（主制御部）
６２…高圧ＣＰＵ（副制御部、リセット部、判断部、制御信号検出部）
６３…Ｄ／Ａコンバータ（周辺回路）
６４…高圧出力回路（電圧印加部）
６５…ＦＢ検出回路（フィードバック検出部）
６６…異常放電検出回路（第１高電圧源）
６７…電源
Ｄｃｎｔ、Ａｃｎｔ…制御信号
Ｖｃｈｇ…帯電電圧（印加電圧）
Ｖｆｂ…フィードバック電圧
Ｖｐｔｇ…暫定目標電圧
Ｖｔｇ…目標電圧
【図１】
2010262037.tif 000003
【図２】
2010262037.tif 000004
【図３】
2010262037.tif 000005
【図４】
2010262037.tif 000006
【図５】
2010262037.tif 000007
【図６】
2010262037.tif 000008